(57)【要約】  ボトルを水平に保管するラックは、上部起伏の表面によって特徴付けられ、各ラックは、より狭い対向する領域を有するより広い領域で特徴付けられる。各ラックは  同一面上で相互に平行な２つの第１コンパートメントと、逆向して昇位した１つの第２コンパートメントを有する。第２コンパートメントのより狭い領域は、第１コンパートメントのより広い領域に囲まれており、このより広い領域と接触している。第２コンパートメントの面は、２つの第１コンパートメントの面より高く、第１コンパートメントのより広い領域の寸法と等しい。  第２コンパートメントのボトルがコンパートメントの対の間により深く挿入されるため、これは、従来の方式と比べたとき、空間を節約することとなる。
2007513662.tif 000002
【特許請求の範囲】
【請求項１】
ボトル（２０）を水平に支持して保管するためのラック（１０）であり、水平に並べられたそれぞれ一本のボトル（２０）を受けるように設計されたコンパートメント（５０，６０，７０）の数個の組を形成する上部起伏（３０）を有する表面を備え、それぞれのコンパートメント（５０，６０，７０）は、広い領域（１０１，１０２）および対向するより狭い領域（１００，１０３）を有し、コンパートメント（５０，６０，７０）の各組は、長さが等しく平行であり同一面（Ｐ１）上でほぼ隣接する２つの第１コンパートメント（５０，６０）と、前記面（Ｐ１）に対して昇位した面（Ｐ２）上で逆向した１つの付加的第２コンパートメント（７０）とからなり、付加的第２コンパートメント（７０）上のより狭い領域（１０３）は、２つの前記第１コンパートメント（５０，６０）上の対応するより狭い領域（１００）に囲まれており、２つの前記第１コンパートメント（５０，６０）上のより広い領域（１０１）と略接触していることを特徴とするラック（１０）。
【請求項２】
前記付加的第２コンパートメント（７０）の面（Ｐ２）は、２つの第１コンパートメント（５０，６０）が位置する面（Ｐ１）に対して昇位されており、この高さはコンパートメント（５０，６０，７０）のより広い領域（１０１，１０２）と同じ寸法であることを特徴とする請求項１に記載のボトル（２０）を水平に支持して保管するためのラック（１０）。
【請求項３】
前記起伏は、前記コンパートメント（５０，６０，７０）の組の少なくとも２列からなっていることを特徴とする請求項１に記載のボトル（２０）を水平に支持して保管するためのラック（１０）。
【請求項４】
コンパートメントの各組の中で平行な前記第１コンパートメント（５０，６０）は対称に並んだ異なる列を有することを特徴とする請求項３に記載のボトル（２０）を水平に支持して保管するためのラック（１０）。
【請求項５】
コンパートメントの各組の中で前記第１コンパートメント（５０，６０）は同じ方向で異なる列を有することを特徴とする請求項３に記載のボトル（２０）を水平に支持して保管するためのラック（１０）。
【請求項６】
ラック（１０）の表面はラミネート素材によって製造されていることを特徴とする請求項１に記載のボトル（２０）を水平に支持して保管するためのラック（１０）。
【請求項７】
上部起伏（３０）は対応する下部起伏（４０）をも形成しており、該下部起伏（４０）によって他のラック（１０）が囲まれ、ラック（１０）が順に積み重なるように設計されていることを特徴とする請求項１に記載のボトル（２０）を水平に支持して保管するためのラック（１０）。
【発明の詳細な説明】
【技術分野】
【０００１】
本発明は、以下のような新しい特徴が多くの利点を付与した、ボトルを水平に支持して保管するためのラックに関する。
【０００２】
本発明は、スパークリングワインやワインのボトル、およびその他の類似した形状のパッケージングの保管についての一般的応用に関する。
【背景技術】
【０００３】
ボトルを水平に保管するラックに関する技術は、本質的に起伏のある表面を持つ本体によって形成されるものとして公知である。この起伏は、各ボトルを水平に保管するように設計された一連のコンパートメントを形成する。
【０００４】
ボトルを適切な様式で保管するために、各コンパートメントは、ボトルの基部と本体部に対応するより広い領域と、それに対向し、ボトルの首部に対応するより狭い領域を有する。
【０００５】
従来のラックにおいて、コンパートメントは、コンパートメント対の間のより狭い領域に別の対称的なコンパートメントを有する、平行に整列されたコンパートメント対として形成される。ラック表面の起伏によって形成される全てのコンパートメントは、同一面上にある。
【０００６】
この構成における主たる欠点は、ボトルが積み上げられたとき、大きな空間を占め、余計な保管空間を必要とすることにある。
【特許文献１】仏国特許出願公開第１５７７９６３号明細書
【特許文献２】仏国特許出願公開第２４５６６７３号明細書
【特許文献３】英国特許出願公開第２０４７６６１号明細書
【特許文献４】仏国特許出願公開第２７２３０７６号明細書
【特許文献５】仏国特許出願公開第２６００９８３号明細書
【発明の開示】
【０００７】
この空間の問題を解決するために、本発明は、単純かつ効果的な解決法を提案する。本発明は、前記保管方式でボトルによって占められていた空間を顕著に減少させるため、単純かつ経済的方法を用いた。
【０００８】
本発明は、この目的を満たすべく、新しく設計され開発された構成を有するラックを提案する。詳細には、従来の技術を使って前述のごとくボトルを保管するための、ラミネート材料で製造された表面をもつラックである。この表面は、上部および下部起伏を定義する。下部起伏は別のラックが囲まれるごとくなされ、それにより、順に積み上げられるようになしてある。
【０００９】
本発明に係るラックの重要な特徴は、コンパートメントの各組の起伏を有する表面の形状が、同一面上で相互に隣接する２つの平行な第１コンパートメントと、２つの第１コンパートメントの面に関して昇位された平行な面上に設けられ、かつ逆向した、１つの付加的第２コンパートメントとの形状を定めることである。
【００１０】
詳細には、付加的第２コンパートメントのより狭い領域は、第１コンパートメントの対応するより狭い領域の間に囲まれ、第１コンパートメントのより広い領域と略接触している。
【００１１】
付加的第２コンパートメントの面はいくらか昇位している。詳細には、この高さは、コンパートメントのより広い領域の幅と略一致している。
【００１２】
ある特定の先行技術と本発明を比較すると、従来のボトル保管システムによって占められる空間の３０パーセントを節約することができることが分かった。
【００１３】
２つの第１コンパートメントの面に関して昇位した面上に、逆向した付加的第２コンパートメントを配置することにより、第２コンパートメントに保管されるボトルが前記の２つの第１コンパートメントの間により深く挿入できる。それ故、第１コンパートメント対の端部と対向する第２コンパートメントの端部との間の距離が、顕著に減少される。結果として、コンパートメントの各列の幅も減少される。
【００１４】
さらに、第２コンパートメントの昇位した面によって、コンパートメント対の間にある第２コンパートメントのより狭い領域（ボトルの首部に対応する）は、該コンパートメント対を相互に近接させることとなる。結果として、各列の長さも顕著に減少される。なぜなら、既に述べたように、前記コンパートメント対の各コンパートメント間の距離が減少されるからである。
【００１５】
好ましくは、ラックの起伏は少なくとも２列のコンパートメントを有する。各列の長さは、三つのコンパートメント（すなわち、第１コンパートメント対と、その対の間に挿入される第２コンパートメント）の組により予め定められた長さと、ラック中のコンパートメントの組の数による。
【００１６】
少なくとも２列によってなされた前記の構成において、コンパートメントの各組中の平行な第１コンパートメントは、他の列との間で対称的に並んでいてよいし、または同方向に並んでいてもよい。
【００１７】
本発明の利点は、以下に示すボトルを支持し水平に保管するためのラックの１つの例を記載することによって、より明確になるであろう。その記載は添付された図と関連付けられる。
【００１８】
これらの図は、本発明に係るラックの可能な実用的レイアウトを図説しており、ラックには参照番号として（１０）が付与されている。
【発明を実施するための最良の形態】
【００１９】
ラック（１０）は効果的な方法でボトルを保管し、占有する空間（２０）を最小限にするためのものである。
【００２０】
ラックはラミネート素材で製造されており、起伏（３０）を有する上部表面、および起伏（４０）を有する下部表面が形成されている。ラック（１０）の下部起伏（４０）は、図３に示すごとくラック（１０）を順に積み上げるべく、別のラック（１０）を囲むように設計されている。
【００２１】
ラック（１０）の表面が有する起伏は、本発明に特有である。より詳細には、前記起伏はボトル（２０）を保管するために設計された一連のコンパートメントを形成する。
【００２２】
図示されるように、一連のコンパートメントは第１コンパートメント（５０，６０）によって形成される。これらのコンパートメント（５０，６０）は同じ寸法であり、お互いの側面におおよそ沿っている。コンパートメント（５０，６０）は平行で、図中の面（Ｐ１）上にある。
【００２３】
一連のコンパートメントは付加的第２コンパートメント（７０）を含むことで完全な形態となる。この付加的コンパートメント（７０）は、２つの第１コンパートメント（５０，６０）の面（Ｐ１）に平行でありかつ昇位した位置にある面（Ｐ２）上にある。
【００２４】
図示されたラック（１０）の構成によれば、特に添付の図２に示すごとく、付加的第２コンパートメント（７０）のより狭い領域（１０３）は、コンパートメント（５０，６０）の対応するより狭い領域（１００）に囲まれており、より広い領域（１０１）と略接触している。
【００２５】
付加的第２コンパートメント（７０）が支持されている面（Ｐ２）は、前述のごとく、面（Ｐ１）に関して昇位した位置にある。面（Ｐ２）が面（Ｐ１）に関して昇位している高さは、コンパートメント（５０，６０，７０）のより広い領域（１０１，１０２）の幅と略一致する。これは、コンパートメント（５０，６０）の対の間により深く挿入し、それによりコンパートメント（５０，６０）対の端部とコンパートメント（７０）の対向する端部の間の距離を減少させてボトル（２０）をコンパートメント（７０）に保管するのに適した高さである。結果として、コンパートメント（５０，６０，７０）の各列の全幅は減少される。
【００２６】
コンパートメント（７０）の面（Ｐ２）がある距離だけ昇位していることは、より狭い領域（１００，１０３）、すなわち、ボトル（２０）の首の領域が減少し、コンパートメントの各列の長さを短くすることにもなる。
【００２７】
ラック（１０）の表面は２つ以上のコンパートメント（５０，６０，７０）の列からなってよい。各列の幅はコンパートメント（５０，６０，７０）によって決まり、列の長さは、ラック（１０）中のコンパートメント（５０，６０，７０）の組の数による。図２は、２つのこのようなコンパートメントの組を示している。
【００２８】
少なくとも２列（各列は一連のコンパートメント（５０，６０，７０）で形成されている）で形成されたラック（１０）の構成において、コンパートメントの各組中のコンパートメント（５０，６０）は対称な列を形成するよう（図示のごとく）並べられてよいし、もしくは、同一の向きに並べられてもよい。
【００２９】
本発明に係るボトルを水平に支持し保管するラック（１０）の構成は、図によって十分に記述されているが、修正が適切であると判断され、かつ発明の要点となる必須の特徴が保たれるごとくなされた、前記構成に対するいかなる修正例も、請求項によって示される請求の範囲を変えるものではないことは理解されるであろう。
【図面の簡単な説明】
【００３０】
【図１】本発明に係るラックの立面図であり、そのラック上に置かれた複数のボトルを図示している。
【図２】図１で並べられたボトルを示す上面図である。
【図３】順に積み上げられた本発明に係る複数のラックの立面図である。
【図４】図１の平面Ａ−Ａ’での断面を図示する、ラック上の複数のボトルの立面図である。
【図５】図１の平面Ｂ−Ｂ’での断面を図示する、ラック上の複数のボトルの立面図である。
【図１】
2007513662.tif 000003
【図２】
2007513662.tif 000004
【図３】
2007513662.tif 000005
【図４】
2007513662.tif 000006
【図５】
2007513662.tif 000007
【国際調査報告】
2007513662.tif 000008
2007513662.tif 000009
2007513662.tif 000010
2007513662.tif 000011